(57)【要約】      （修正有）【課題】広域の配管網において精密な検知システムを構築しなくても、容易に漏水の有無とその位置を検知できるような埋設配管の漏水検知方法を提供する。【解決手段】埋設配管Ｐに設置された漏水検知装置１において、漏れを判断した際、漏れ情報と検知装置１の位置情報からなる漏れ信号を無線中継器３を介して遠方の事務所等の携帯電話２へ自動的に発信できるようにしておき、携帯電話２で前記漏れ信号を受信したとき、作業者が現場へ急行し、前記検知装置１周辺における埋設配管Ｐ上の地表において漏水探知機を移動させながら漏水箇所を探索していく。【選択図】図１
2015102361.tif 000002
【特許請求の範囲】
【請求項１】
埋設配管に設置された異常検知手段により検知される異常情報と前記検知手段の位置情報からなる異常信号を自動的に異常通報手段により発信できるようにしておき、受信手段で前記異常信号を受信したとき、前記検知手段周辺における埋設配管上の地表において漏水探知機を移動させながら漏水箇所を探索していくことを特徴とする、埋設配管の漏水検知方法。
【請求項２】
前記異常検知手段と前記漏水探知機の検出対象を同一にしたことを特徴とする、請求項１記載の埋設配管の漏水検知方法。
【発明の詳細な説明】
【技術分野】
【０００１】
この発明は、埋設配管の漏水検知方法に関するものである。
【背景技術】
【０００２】
水道用埋設配管の漏水検知技術については以前から様々な研究開発が行われており、最も古くから存在する技術に路面音聴調査法がある。これは、特許文献１記載の装置等を使用して埋設配管上の地面から振動音を聴き取り、漏水の有無を現地において判断するものである。詳しくは、ピックアップを地面に接触させて振動音を検出し、それを装置本体で電気的に増幅したものを作業者が聴き、過去の経験、基準の漏水音サンプルと比較、もしくは録音して周波数分析を行い、過去の基本データと比較して漏水の有無を判断する、というものである。
【特許文献１】特公昭６１−３０７００号公報
【０００３】
この方法は、作業者が装置を携帯して埋設配管上を移動しながら行うため、局地的な漏水発見には有効であるが、広域の配管網については全く適していない。一方、広域の配管網を集中的に監視するような漏水検知システムとして特許文献２のような技術が挙げられる。配管に設置された漏水音センサからの水中音を、Ａ／Ｄ変換してから電話回線等を介して遠方の漏水音データ処理装置に入力し、この処理装置で漏水音か否かを判定するものである。またこのシステムは漏水位置まで特定できる、としている。
【特許文献２】特開平１１−１１７３５６号公報
【発明の開示】
【発明が解決しようとする課題】
【０００４】
しかし、特許文献２のようなシステムは、結局、漏水音の波形等、過去の基本データとの比較に拠らざるを得ず、漏水検知の基本原理は路面音調調査法とあまり変わらない。逆に広範囲における配管網各所の基本データが出揃っていることが前提であり、また、更新工事があるたびに配管径等が変わったりするため、これらの変更によるデータ等の再入力を必要とし、システムの維持管理に手間をかけることになる。
【０００５】
一方、配管に漏水があるときは配管内の流量や水圧に必ず変化が生じるため、これらを検出対象として漏水の有無判断の参考とする場合も多い。また、現実的には埋設配管のうち漏水している管体を取り替える場合が多く、漏水しているピンポイントではなく漏水している管体がどの辺りに埋設されているのか分かればよいのである。このような理由から、特許文献２に記載されているような精密な検知システムが本当に必要なのか疑わしい。
【０００６】
本願の課題は、広域の配管網において精密な検知システムを構築しなくても、容易に漏水の有無とその位置を検知できるような埋設配管の漏水検知方法を提供することである。
【課題を解決するための手段】
【０００７】
埋設配管の漏水検知方法において、埋設配管に設置された異常検知手段により検知される異常情報と前記検知手段の位置情報からなる異常信号を自動的に異常通報手段により発信できるようにしておき、受信手段で前記異常信号を受信したとき、前記検知手段周辺における埋設配管上の地表において漏水探知機を移動させながら漏水箇所を探索していくことにしたのである。
【０００８】
このような方法であれば、前記検知手段によってある程度位置特定までされた配管異常を遠方の事務所等で即座に知ることができ、作業者が現場に急行した後、前記漏水探知機で素早く漏水箇所を特定することが可能となる。尚、漏水探知機による調査で前記異常信号が漏水によるものではないと分っても、配管系統の他の要素についてその異常との関連性を引き続き検討することができ、決して作業者の現場への外出が無駄になることはない。
【０００９】
また、上記埋設配管の漏水検知方法において、前記異常検知手段と前記漏水探知機の検出対象を同一にすると、漏れの有無判定の精度をより高くすることが可能となる。
【発明の効果】
【００１０】
本願の埋設配管の漏水検知方法は、精密なシステム構築をすることなく、迅速で、現実的な範囲の正確さで漏水検知を行うことができる。
【図面の簡単な説明】
【００１１】
【図１】本発明の一実施形態で水道用埋設配管の漏れ監視を行っている状態を示す簡略断面図
【図２】本発明の一実施形態で使用する異常検知手段の構成説明図
【図３】漏水探知機によって漏水箇所の探索を行っている一実施例の説明図
【図４】漏水探知機によって漏水箇所の探索を行っている他実施例の説明図
【発明を実施するための最良の形態】
【００１２】
以下、図面を用いて本発明に係る漏水検知方法の一実施形態を説明する。図１は水道用埋設配管Ｐの漏れ監視を行っている状態が示されており、この実施例では消火栓Ｓの設置された分岐部Ｔ近くの管体周囲に漏水検知装置１が取り付けられている。また、その近くの地表には前記検知装置１から発信する電波を遠方の携帯電話２へ中継する無線中継器３が設置されている。
【００１３】
前記検知装置１は、図２に示すように、配管の振動音を検出するセンサ４と、前記センサ４による振動音の測定やその測定結果から漏水の有無を判断する制御回路５と、測定時間の管理を行う時計回路６が設けられている。制御回路５は、漏水と判断したときに漏れ信号を自動的に電話用変換回路７を介して携帯電話２へ発信するような通報機能をも有する。
【００１４】
例えば、所定時間全てにおいて振動音を計測したときは制御回路５によって「漏れ」であると判断される。このとき、制御回路５はこの検出された漏れ情報と、検知装置の位置情報を漏れ信号として前記電話用変換回路７とアンテナ８を介して無線中継器３に発信し、前記漏れ信号は遠方の事務所等の携帯電話２で受信される。前記位置情報は前記検知装置に付属の図示しないＩＣタグ等に記憶されている。因みに、検知装置１とは別の通報装置を設置して、検知装置１からの指示で作動するような構成としても何ら問題は無い。
【００１５】
携帯電話２に漏れ信号の受信があったとき、作業者が現場へ急行し、図３のように、漏水探知機９を使用して漏水箇所を絞り込むような探索作業を行う。この実施例は、埋設配管Ｐのある部分における隣接した両方の検知装置１、１から漏れ信号が発信された場合を表しており、作業者は両検知装置１、１間の地表で漏水探知機９を移動させながら、地面に接触させた探知機９付属のピックアップ１０からの振動音を聴き取り、漏水音と判断できる箇所を絞り込んでいく。ここでいう「絞り込み」は必ずしもピンポイントの漏水位置まで特定することを意味しない。振動音が極めて漏水音に近いと判断される「範囲」まででよく、その「範囲」を含んで埋設されている漏水した管体を特定できればよい。管体の特定には、検知装置１の位置を基準として、配管施工図、地図情報のデータベース等を参考情報として使用することもできる。
【００１６】
漏水探知機９によって捕捉される振動音は、作業者の経験から漏水音か否か判断されることが多いが、録音された配管径別の漏水音サンプルを携帯してそれと比較したり、探知機９で振動音を周波数分析できるようにして、配管径別の漏水音とその周波数の関連性を示す基本データと比較して判断することもできる。
【００１７】
図４に記載の実施例は、埋設配管Ｐのある部分における１箇所の検知装置１から漏れ信号が発信された場合を表しており、この検知装置１を挟んだ両側の地表において、漏水探知機９を移動させ、漏水箇所を探索していく。但し、上記両実施例について、上記範囲以外でも漏水探知機９を移動させなければならないこともある。制御回路で漏水の判断基準をどの程度に設定するか、隣接する検知装置１、１間の距離をどの程度に設定するか等によって、探索範囲も変わるのである。
【００１８】
尚、上記実施形態では、異常検知手段として配管の振動音に基づく漏水検知装置１を使用し、異常情報、異常信号をそれぞれ漏れ情報、漏れ信号そのものとして扱ったが、本発明はこれに限定するものではない。例えば、異常検知手段としては流量検出や水圧検出に基づいて異常を検知するようなものでもよく、これらの装置が発する異常信号を漏れ信号の可能性があるものとして捉え、異常信号を発した異常検知手段付近の地表において漏水探知機９により漏水の有無を判断し、漏水が有る場合はその箇所を探索すればよい。漏水が無いと判断された場合は、配管系統の他の要素についてその異常との関連性がないか継続して調査することができる。
【００１９】
上記実施形態のように、異常検知手段と漏水探知機９が共に検出対象を振動音としていることは、漏れの有無判定の精度を高くするという効果が得られ、逆に、異常検知手段の検出対象が振動音以外である場合、漏水に特定されない幅広い異常検知が可能となる。漏水探知機９は、図３、図４のような特許文献１等記載の装置に限定されず、地表から漏水箇所を探索していけるようなものであれば何でもよいが、上記実施形態のように、振動音を検出するものであれば、作業者間で情報共有がし易く非常に便利である。
【００２０】
また、上記実施形態において受信手段を携帯電話２としたが、これもコンピュータ端末等であってもよく、これに限定されるものではない。更に、埋設配管は水道用以外に、例えば工業用、農業用等のものでもよく、材質も鋳鉄製、鋼製、樹脂製等、特に限定されるものではない。
【符号の説明】
【００２１】
１．漏水検知装置（異常検知手段）
２．携帯電話（受信手段）
３．無線中継器
４．センサ
５．制御回路
６．時計回路
７．電話用変換回路
８．アンテナ
９．漏水探知機
１０．ピックアップ
Ｐ．埋設配管
Ｓ．消火栓
Ｔ．分岐部
【図１】
2015102361.tif 000003
【図２】
2015102361.tif 000004
【図３】
2015102361.tif 000005
【図４】
2015102361.tif 000006